(57)【要約】  本開示の読取装置（２０）は、筐体（２１）と、第１照射部（２７ａ）と、撮像装置（２６）と、第１拡散部とを備える。筐体（２１）は、その上部に、透明な読取窓部材（２２）を配置した開口を有する。第１照射部（２７ａ）は、赤外光を照射する。撮像装置（２６）は、筐体の内部の上部と対向する底部に光軸が読取窓部材（２２）を向くように配置される。第１拡散部は、筐体（２１）の内部において上部と底部とを接続する左側壁に配置される。第１拡散部は、第１照射部からの赤外光を拡散する。第１拡散部は、光透過型の第１拡散板（２４ａ）と、光透過型の第１拡散板（２４ｂ）とで構成される。第１拡散板（２４ａ）は、左側壁の底面側に上部の方向に傾斜して配置される。第２拡散板（２５ａ）は、左側壁の上面側に底部の方向に傾斜して配置される。
2019193955.tif 000002
【特許請求の範囲】
【請求項１】
第１面に開口を有し、前記開口に透明な読取窓部材を配置した筐体と、
赤外光を照射する第１照射部と、
前記筐体の内部の前記第１面と対向する第２面側に光軸が前記読取窓部材を向くように配置された撮像装置と、
前記筐体の内部において前記第１面と前記第２面とを接続する第１側壁に配置され、前記赤外光を拡散する第１拡散部と、
を備え、
前記第１拡散部は、
前記第１側壁の前記第２面側に前記第１面の方向に傾斜して配置された光透過型の第１拡散板と、
前記第１側壁の前記第１面側に前記第２面の方向に傾斜して配置された光透過型の第２拡散板とで構成される、
読取装置。
【請求項２】
前記第１照射部は、前記第１拡散板と、第２面との間に配置される、請求項１に記載の読取装置。
【請求項３】
前記第１側壁に光拡散型の反射板が取り付けられた、
請求項１または２に記載の読取装置。
【請求項４】
可視光を照射する第２照射部が、前記第１拡散部と、第２面との間に配置され、前記第１拡散部が、前記可視光を拡散する、請求項１〜３のいずれか１項に記載の読取装置。
【請求項５】
紫外光を照射する第３照射部が、前記第１面と前記第１拡散部との間に配置される、請求項１〜４のいずれか１項に記載の読取装置。
【請求項６】
前記撮像装置は、前記読取窓部材全体が画角の範囲内に含まれるように配置される、
請求項１〜５のいずれか１項に記載の読取装置。
【請求項７】
前記第１拡散板は、前記第１照射部からの赤外光を、前記第１照射部の半減角の角度範囲にわたって、直接前記読取窓部材に到達させないように配置される、請求項１〜６のいずれか１項に記載の読取装置。
【請求項８】
前記第１拡散板は、前記第２照射部からの可視光を、前記第２照射部の半減角の角度範囲にわたって、直接前記読取窓部材に到達させないように配置される、
請求項４に記載の読取装置。
【請求項９】
前記筐体の内部において前記第１側壁と対向する第２側壁に配置され、前記赤外光を拡散する第２拡散部をさらに備え、
前記第２拡散部は、
前記第２側壁の前記第２面側に前記第１面の方向に傾斜して配置された光透過型の第３拡散板と、
前記第２側壁の前記第１面側に前記第２面の方向に傾斜して配置された光透過型の第４拡散板とで構成される、
請求項１〜８のいずれか１項に記載の読取装置。
【請求項１０】
前記第１面は前記筐体の上部である、
請求項１〜９のいずれか１項に記載の読取装置。
【請求項１１】
前記第１拡散板は、前記撮像装置の視角に入らない大きさで、
前記第２拡散板は、前記撮像装置の視角に入らないように傾斜して配置される、
請求項１〜１０のいずれか１項に記載の読取装置。
【発明の詳細な説明】
【技術分野】
【０００１】
本発明は、読取対象物を撮像して読取る読取装置に関する。
【背景技術】
【０００２】
特許文献１は、パスポートなどの読取対象物の被読取面が載置される載置面と、被読取面を照明する赤外光源または可視光源を備える照明光源と、被読取面を撮像する撮像部と、被読取面からの光路を変更して撮像部に集光させるミラーとを備える読取装置を開示している。照明光源を局所的に載置面に近接して配置することによって、読取装置は、照明ムラの少ない画像を取得する。
【先行技術文献】
【特許文献】
【０００３】
【特許文献１】特許第４４７３９３３号公報
【発明の概要】
【発明が解決しようとする課題】
【０００４】
本開示は、照明ムラを低減して、読取精度を向上した読取装置を提供する。
【課題を解決するための手段】
【０００５】
本開示の読取装置は、筐体と、第１照射部と、撮像装置と、第１拡散部とを備える。筐体は、その上部に、透明な読取窓部材を配置した開口を有する。第１照射部は、赤外光を照射する。撮像装置は、筐体の内部の上部と対向する底部に光軸が読取窓部材を向くように配置される。第１拡散部は、筐体の内部において上部と底部とを接続する左側壁に配置される。第１拡散部は、第１照射部からの赤外光を拡散する。第１拡散部は、光透過型の第１拡散板と、光透過型の第１拡散板とで構成される。第１拡散板は、左側壁の底面側に上部の方向に傾斜して配置される。第２拡散板は、左側壁の上面側に底部の方向に傾斜して配置される。
【発明の効果】
【０００６】
本開示によれば、照明ムラを低減して、読取精度を向上した読取装置を提供することができる。
【図面の簡単な説明】
【０００７】
【図１】本開示の実施の形態１に係る読取装置の外観を示す斜視図
【図２】読取対象物の被読取面の一例を示す図
【図３】読取装置の構成を示す断面図
【図４】読取装置の内部で可視光が拡散する様子を示す図
【図５】読取装置の内部で赤外光が拡散する様子を示す図
【図６Ａ】読取装置の別の実施の形態を示す断面図
【図６Ｂ】読取装置の別の実施の形態を示す断面図
【図７Ａ】読取装置の別の実施の形態を示す断面図
【図７Ｂ】読取装置の別の実施の形態を示す断面図
【図８】読取装置の別の実施の形態を示す断面図
【図９】読取装置の別の実施の形態を説明するための図
【図１０】読取装置の別の実施の形態を説明するための図
【図１１】読取装置の別の実施の形態を説明するための図
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、発明者（ら）は、当業者が本開示を十分に理解するために添付図面および以下の説明を提供するのであって、これらによって特許請求の範囲に記載の主題を限定することを意図するものではない。
【００１０】
（実施の形態１）
１．構成
図１は、実施の形態１に係る読取装置２０の外観を示す斜視図である。読取装置２０は、上部（第１面）に開口を有する筐体２１と、当該開口に嵌め込まれた読取窓部材２２とを備える。
【００１１】
筐体２１は、後述する種々の部材を収納する。読取窓部材２２の上面には、読取対象物１０の被読取面が載置される。読取窓部材２２は、光透過性の、ガラス、または有機ガラスなどの樹脂によって構成される。読取窓部材２２の表面には、反射防止シート、反射防止膜、飛散防止シートなどが貼り合わされてもよい。読取装置２０は内部に撮像装置を備え、撮像装置は読取窓部材２２越しに被読取面を撮像する。
【００１２】
図２は、読取対象物１０の被読取面の一例を示す図である。読取対象物１０は、例えば、パスポートである。被読取面には、顔写真１１、旅券データ１２、および偽造防止のための図形１３などが配置されている。偽造防止のための図形１３は、紫外線に反応して蛍光する塗料を用いて印刷されている。読取装置２０は、読取対象物１０の被読取面から、顔写真１１、旅券データ１２、および図形１３等の情報を光学的に読み取る。
【００１３】
図３は、図１のＡ−Ａ’断面に対応する読取装置２０の構成を示す断面図である。上述したように、読取装置２０は、筐体２１および読取窓部材２２を備える。読取装置２０は、赤外光を照射する第１照射部２７ａ，２７ｂおよび可視光を照射する第２照射部２８ａ，２８ｂを備える。読取装置２０は、撮像装置２６、および紫外光を照射する第３照射部２９を備える。読取装置２０は、第１拡散部および第２拡散部を備える。第１拡散部は、光透過型の第１拡散板２４ａおよび光透過型の第２拡散板２５ａにより構成される。第２拡散部は、光透過型の第３拡散板２４ｂおよび光透過型の第４拡散板２５ｂにより構成される。読取装置２０は、光拡散型の反射板２３ａ，２３ｂを備える。
【００１４】
第１拡散部および第２拡散部は、入射した光を透過して拡散する。ここで、「透過して拡散する」とは、物体を透過した光が、当該物体の細かい凹凸によって様々な角度で広がり散ることをいう。第１拡散部および第２拡散部は、ガラス、またはアクリルなどの有機ガラスで構成される。
【００１５】
光拡散型の反射板２３ａ，２３ｂは、入射した光を拡散反射する。ここで、「拡散反射」とは、物体に入射した光が、当該物体の細かい凹凸によって様々な角度で反射することをいう。本実施の形態の反射板２３ａ，２３ｂは、高い拡散性を有する白色の材料を含む白色板で構成されるが、これに限定されない。反射板２３ａ，２３ｂは、例えば、アルミニウムなどで構成される反射板に、拡散反射性の高い白塗装を施したものや、反射シート、拡散反射性の高い白いガラスや樹脂の板材などで構成されてもよい。本実施の形態の反射板２３ａ，２３ｂは筐体２１の内部の側壁に配置されるが、筐体２１と一体成形されていてもよい。あるいは、筐体２１の側壁全体が反射板で構成されてもよい。
【００１６】
第１照射部２７ａ，２７ｂは、基板と、基板上に実装された複数の赤外光源とを含む。赤外光源は、赤外光を照射する。基板上には、赤外光源を駆動する回路が配置される。第１照射部２７ａ，２７ｂは、例えば、０．７〜２．５μｍの波長を有する近赤外光線を照射する。第１照射部２７ａ，２７ｂはそれぞれ、赤外光源として６個の赤外光ＬＥＤを備える。６個の赤外光ＬＥＤは、図３において奥行き方向（左右方向および上下方向の双方と直交する方向）に一列に整列して配置される。また、第１照射部２７ａ，２７ｂは、表面実装型の赤外光ＬＥＤを備えるが、砲弾型など他の形状の赤外光ＬＥＤを備えてもよい。第１照射部２７ａ，２７ｂは、例えば、図２の被読取面の旅券データ１２の各文字を明瞭に撮像するために使用される。本実施の形態で使用する赤外光ＬＥＤは、５０°程度の半減角を有する。ここで、「半減角」とは、正面方向への光度に対して、光度が半分になる角度のことをいう。
【００１７】
第２照射部２８ａ，２８ｂは、基板と、基板上に実装された複数の可視光源とを含む。可視光源は、可視光を照射する。基板上には、可視光源を駆動するための回路が配置される。第２照射部２８ａ，２８ｂはそれぞれ、可視光源として４個の白色光ＬＥＤを備える。４個の白色光ＬＥＤは、図３において奥行き方向（左右方向および上下方向の双方と直交する方向）に一列に整列して配置される。第２照射部２８ａ，２８ｂは、表面実装型の白色光ＬＥＤを備えるが、砲弾型など他の形状の白色光ＬＥＤを備えてもよい。本実施の形態で使用する白色光ＬＥＤは、１２０°程度の半減角を有する。
【００１８】
撮像装置２６は、読取窓部材２２を介して、読取窓部材２２の上面に載置された、読取対象物１０の被読取面を撮像する。撮像装置２６は、撮像センサ、広角レンズ、撮像センサを駆動する回路などで構成される。撮像装置２６が広角レンズを備えることにより、読取窓部材２２と撮像装置２６との間の距離を大きくすることなく、被読取面全体を画角に収めるように撮像装置２６を配置することができる。したがって、読取装置２０は、被読取面からの光路を曲げて撮像装置に集光させるミラーを備える必要がない。それ故、読取装置２０は、可視光源による照明ムラが少ない画像を取得することができる。
【００１９】
第３照射部２９は、基板と、基板上に実装された複数の紫外光源とを含む。紫外光源は紫外光を照射する。基板上には、複数の紫外光源を駆動するための回路が配置される。紫外光源は、約１０〜４００ｎｍの波長を有する紫外光を照射する。第３照射部２９は、紫外光源として８個の紫外光ＬＥＤを備える。第３照射部２９は、砲弾型の紫外光ＬＥＤを備えるが、表面実装型など他の形状の紫外光ＬＥＤを備えてもよい。本実施の形態で使用する紫外光ＬＥＤは、１５°程度の半減角を有する。第３照射部２９は、例えば、図２の偽造防止のための図形１３を蛍光させるために使用される。
【００２０】
図３において、読取窓部材２２は、筐体２１の上部の開口に嵌め込まれて配置される。撮像装置２６は、筐体２１の内部の底部（第１面と対向する第２面側）において、読取窓部材２２の下方に読取窓部材２２全体が画角に収まるように配置される。
【００２１】
反射板２３ａは、読取窓部材２２の下側において筐体２１内部の第１面と第２面とを接続する左側壁（第１側壁）に配置される。第１拡散板２４ａは、筐体２１内部の左側壁に上向きに傾斜して配置される。第２拡散板２５ａは、光透過型の第１拡散板２４ａの上方に筐体２１内部の左側壁に対して下向きに傾斜して配置される。第１拡散板２４ａは、筐体２１内部の左側壁の法線に対してθ１の角度で傾斜して配置される。第２拡散板２５ａは、筐体２１内部の左側壁の法線に対してθ２の角度で傾斜して配置される。例えば、θ１は３０°であり、θ２は５０°である。
【００２２】
第２照射部２８ａは、反射板２３ａの下側において、筐体２１内部の左側壁に配置される。第１照射部２７ａは、筐体２１の底部に第１拡散板２４ａと対向して配置される。
【００２３】
反射板２３ｂは、反射板２３ａに対して、撮像装置２６の光軸を中心として左右対称に、筐体２１内部の第１面と第２面とを接続する右側壁（第２側壁）に配置される。第３拡散板２４ｂは、筐体２１内部の右側壁に上向きに傾斜して配置される。第４拡散板２５ｂは、第３拡散板２４ｂの上方に筐体２１内部の右側壁に対して下向きに傾斜して配置される。第３拡散板２４ｂは、筐体２１内部の右側壁の法線に対してθ３の角度で、上向きに傾斜して配置される。第４拡散板２５ｂは、筐体２１内部の右側壁の法線に対してθ４の角度で、下向きに傾斜して配置される。例えば、θ３は３０°であり、θ４は５０°である。
【００２４】
第２照射部２８ｂは、第２照射部２８ａに対して、撮像装置２６の光軸を中心として左右対称に、筐体２１内部の右側壁に配置される。第１照射部２７ｂは、第１照射部２７ａに対して、撮像装置２６の光軸を中心として左右対称に、筐体２１の底部に第３拡散板２４ｂと対向して配置される。
【００２５】
第３照射部２９は、第１拡散部および第２拡散部の上側（第１面側）において、筐体２１内部の奥側壁に配置される。
【００２６】
２．動作
以上の構成を有する読取装置２０の動作を説明する。読取窓部材２２の上面に、読取対象物１０の被読取面が載置される。読取装置２０は、赤外光、可視光、および紫外光により読取対象物１０の被読取面を照射し、被読取面を撮像して画像を取得する。読取装置２０は、通信部（図示せず）をさらに備えており、当該通信部を介して接続された外部装置に、撮像した画像を送信する。外部装置は、撮像した画像を受信すると、当該画像を種々の解析に使用する。
【００２７】
具体的には、第１照射部２７ａ，２７ｂは赤外光を照射する。第２照射部２８ａ，２８ｂは可視光を照射する。第１照射部２７ａ，２７ｂからの赤外光、および第２照射部２８ａ，２８ｂからの可視光は、第１拡散部、第２拡散部、および反射板２３ａ，２３ｂによって拡散される。読取対象物１０の被読取面は、拡散された赤外光または可視光によって照明される。撮像装置２６は読取対象物１０の被読取面を撮像して画像を取得する。通信部は、取得した画像を外部装置に送信する。
【００２８】
第３照射部２９は紫外光を照射する。読取対象物１０の被読取面は、第１拡散部、第２拡散部、および反射板２３ａ，２３ｂによって拡散されることなく、読取対象物１０の被読取面を直接照射する。読取対象物１０の被読取面に配置される偽造防止のための図形１３は、直接照射された紫外光によって蛍光させる。撮像装置２６は読取対象物１０の被読取面を撮像して画像を取得する。通信部は、取得した画像を外部装置に送信する。
【００２９】
３．光の拡散について
図４は、読取装置２０の内部で、第２照射部２８ａからの可視光が拡散する様子を示す図である。第２照射部２８ａからの可視光の一部は、第１拡散板２４ａに入射する。第１拡散板２４ａは、第２照射部２８ａから入射した可視光を透過して拡散する。
【００３０】
第１拡散板２４ａで拡散した可視光の一部は、反射板２３ａに入射する。反射板２３ａは、第１拡散板２４ａから入射した可視光を拡散反射する。反射板２３ａから拡散反射した可視光の一部は、第２拡散板２５ａに入射する。第２拡散板２５ａは、反射板２３ａから入射した可視光を透過して拡散する。第２拡散板２５ａから透過して拡散した可視光の一部は、読取窓部材２２を透過する。読取窓部材２２に載置された読取対象物１０の被読取面は、読取窓部材２２を透過した可視光によって照明される。
【００３１】
第１拡散板２４ａから拡散した可視光の別の一部は、第２拡散板２５ａに入射する。第２拡散板２５ａは、第１拡散板２４ａからの入射した可視光を透過して拡散する。第２拡散板２５ａから透過して拡散した可視光の一部は、読取窓部材２２を透過する。読取窓部材２２に載置された読取対象物１０の被読取面は、読取窓部材２２を透過した可視光によって照明される。
【００３２】
第２照射部２８ａからの拡散した可視光のさらに別の一部は、第３拡散板２４ｂに入射する。第３拡散板２４ｂは、第２照射部２８ａから入射した可視光を透過して拡散する。
【００３３】
第３拡散板２４ｂから拡散した可視光の一部は、反射板２３ｂに入射する。反射板２３ｂは、第３拡散板２４ｂからの入射した可視光を拡散反射する。反射板２３ｂからの拡散反射した可視光の一部は、第４拡散板２５ｂに入射する。第４拡散板２５ｂは、反射板２３ｂから入射した可視光を透過して拡散する。第４拡散板２５ｂから透過して拡散した可視光の一部は、読取窓部材２２を透過する。読取窓部材２２に載置された読取対象物１０の被読取面は、読取窓部材２２を透過した可視光によって照明される。
【００３４】
第３拡散板２４ｂから拡散した可視光の別の一部は、第４拡散板２５ｂに入射する。第４拡散板２５ｂは、第３拡散板２４ｂから入射した可視光を透過して拡散する。第４拡散板２５ｂから透過して拡散した可視光の一部は、読取窓部材２２を透過する。読取窓部材２２に載置された読取対象物１０の被読取面は、読取窓部材２２を透過した可視光によって照明される。
【００３５】
第２照射部２８ｂからの可視光は、上述した第２照射部２８ａからの可視光に対して、撮像装置２６の光軸を中心として左右対称な方向に拡散して被読取面を照明する。
【００３６】
本実施の形態において、可視光源として使用する白色光ＬＥＤの半減角は、１２０°程度である。第１拡散板２４ａおよび第３拡散板２４ｂは、可視光源からの可視光を、白色光ＬＥＤの半減角の角度範囲にわたって、被読取面に到達させないように配置される。したがって、被読取面は、高い光度を有する可視光により直接照明されることはない。それ故、本実施の形態の読取装置２０は、可視光源による照明ムラが少ない画像を取得することができる。
【００３７】
また、本実施の形態において、読取装置２０は、撮像装置２６と第１拡散板２４ａの上辺との間、および、撮像装置２６と第３拡散板２４ｂの上辺との間に間隙を有する。第２照射部２８ａ，２８ｂからの可視光の一部が当該間隙を通過するので、読取装置２０は、可視光源による照明ムラが少ない画像を取得することができる。また、第１拡散板２４ａおよび第３拡散板２４ｂは、撮像装置２６の視角に入らない大きさで、第２拡散板２５ａおよび第４拡散板２５ｂは、撮像装置２６の視角に入らないように傾斜して配置される。
【００３８】
図５は、読取装置の内部で、第１照射部２７ａからの赤外光が拡散する様子を示す図である。第１照射部２７ａからの赤外光の一部は、第１拡散板２４ａに入射する。第１拡散板２４ａは、第１照射部２７ａからの入射した赤外光を透過して拡散する。
【００３９】
第１拡散板２４ａからの拡散した赤外光の一部は、反射板２３ａに入射する。反射板２３ａは、第１拡散板２４ａから入射した赤外光を拡散反射する。反射板２３ａから拡散した赤外光の一部は、第２拡散板２５ａに入射する。第２拡散板２５ａは、反射板２３ａから入射した赤外光を透過して拡散する。第２拡散板２５ａから拡散した赤外光の一部は、読取窓部材２２を透過する。読取窓部材２２に載置された読取対象物１０の被読取面は、読取窓部材２２を透過した赤外光によって照明される。
【００４０】
第１拡散板２４ａからの拡散した赤外光の別の一部は、第２拡散板２５ａに入射する。第２拡散板２５ａは、第１拡散板２４ａから入射した赤外光を透過して拡散する。第２拡散板２５ａからの拡散した赤外光の一部は、読取窓部材２２を透過する。読取窓部材２２に載置された読取対象物１０の被読取面は、読取窓部材２２を透過した赤外光によって照明される。
【００４１】
第１照射部２７ｂからの赤外光は、上述した第１照射部２７ａからの赤外光に対して、撮像装置２６の光軸を中心として左右対称な方向に拡散して被読取面を照明する。
【００４２】
本実施の形態において、赤外光源として使用する赤外光ＬＥＤの半減角は、５０°程度である。第１拡散板２４ａおよび第３拡散板２４ｂは、赤外光源からの赤外光を、赤外光ＬＥＤの半減角の角度範囲にわたって、被読取面に到達させないように配置される。したがって、被読取面は、高い光度を有する赤外光により照明されることはない。それ故、本実施の形態の読取装置２０は、赤外光源による照明ムラが少ない画像を取得することができる。
【００４３】
第３照射部２９からの紫外光は、第１拡散部、第２拡散部、および反射板２３ａ，２３ｂを介さずに、読取窓部材２２を透過する。読取窓部材２２を透過した紫外光は、例えば、図２の偽造防止のための図形１３を蛍光させる。
【００４４】
本実施の形態の読取装置２０は、第１拡散部、第２拡散部、および反射板２３ａ，２３ｂを介さずに、第３照射部２９からの紫外光を、被読取面に到達させる。このことにより、第１拡散部、第２拡散部、および反射板２３ａ，２３ｂとして、紫外線によって劣化することがある樹脂材料や紫外線を吸収する樹脂材料を使用することができる。
【００４５】
４．まとめ
以上説明したように、読取装置２０は、筐体２１と、第１照射部２７ａと、撮像装置２６と、第１拡散部とを備える。筐体２１は、その上部（第１面）に、透明な読取窓部材２２を配置した開口を有する。第１照射部２７ａは、赤外光を照射する。撮像装置２６は、筐体の内部の上部と対向する底部（第２面）に光軸が読取窓部材２２を向くように配置される。第１拡散部は、筐体２１の内部において上部と底部とを接続する左側壁（第１側壁）に配置される。第１拡散部は、第１照射部２７ａからの赤外光を拡散する。第１拡散部は、光透過型の第１拡散板２４ａと、光透過型の第２拡散板２５ａとで構成される。第１拡散板２４ａは、左側壁の底部側に上部の方向に傾斜して配置される。第２拡散板２５ａは、左側壁の上部側に底部の方向に傾斜して配置される。
【００４６】
第１照射部２７ａは、第１拡散板２４ａと、筐体２１の底部との間に配置される。
【００４７】
このことにより、第１照射部２７ａからの赤外光は、第１拡散部を介して拡散されて、読取窓部材２２を照射するので、読取装置２０は、第１照射部２７ａによる照明ムラが少ない画像を取得することができる。
【００４８】
読取装置２０は、光拡散型の反射板２３ａをさらに備える。反射板２３ａは、筐体２１の左側壁に取り付けられる。
【００４９】
このことにより、反射板２３ａは、第１拡散部からの光を拡散反射するので、読取装置２０は、光を効率よく用いることができる。
【００５０】
読取装置２０は、可視光を照射する第２照射部２８ａをさらに備える。第２照射部２８ａは、第１拡散板２４ａと、筐体２１の底部との間に配置される。第２照射部２８ａからの可視光は、第１拡散部によって拡散される。
【００５１】
このことにより、第２照射部２８ａからの可視光は、第１拡散部を介して拡散されて、読取窓部材２２を照射するので、読取装置２０は、第２照射部２８ａによる照明ムラが少ない画像を取得することができる。
【００５２】
読取装置２０は、紫外光を照射する第３照射部２９をさらに備える。第３照射部２９は、筐体２１の上部と第１拡散部との間に配置される。
【００５３】
このことにより、第３照射部２９からの紫外光は、第１拡散部および反射板２３ａを介さずに被読取面に到達する。したがって、第１拡散部、第２拡散部、および反射板２３ａ，２３ｂの材料として、紫外線によって劣化することがある樹脂材料や紫外線を吸収する樹脂材料を使用することができる。
【００５４】
撮像装置２６は、読取窓部材２２全体が画角の範囲内に含まれるように配置される。このとき、撮像装置２６は広角レンズを備えてもよい。
【００５５】
このことにより、読取窓部材２２と撮像装置２６との間の距離を大きくすることなく、被読取面全体を画角に収めるように撮像装置２６を配置することができるので、読取装置２０は、従来の読取装置のように、被読取面からの光路を曲げて撮像装置に集光させるミラーを備える必要がない。したがって、本開示は、小型な読取装置を提供することができる。
【００５６】
読取装置２０は、第１拡散板２４ａの上辺と撮像装置２６との間に、間隙を有する。
【００５７】
このことにより、第２照射部２８ａ，２８ｂからの可視光の一部が当該間隙を通過するので、読取装置２０は、可視光源による照明ムラが少ない画像を取得することができる。
【００５８】
第１拡散板２４ａは、第１照射部２７ａからの赤外光を、第１照射部の半減角の角度範囲にわたって、直接読取窓部材２２に到達させないように配置される。
【００５９】
このことにより、被読取面は、高い光度を有する赤外光により直接照明されることはない。それ故、読取装置２０は、赤外光源による照明ムラが少ない画像を取得することができる。
【００６０】
第１拡散板２４ａは、第２照射部２８ａからの可視光を、第２照射部の半減角の角度範囲にわたって、直接読取窓部材２２に到達させないように配置される。
【００６１】
このことにより、被読取面は、高い光度を有する可視光により直接照明されることはない。それ故、読取装置２０は、可視光源による照明ムラが少ない画像を取得することができる。
【００６２】
読取装置２０は、第２拡散部をさらに備える。第２拡散部は、筐体２１の内部において左側壁と対向する右側壁（第２側壁）に配置される。第２拡散部は、第１照射部２７ｂからの赤外光を拡散する。第２拡散部は、光透過型の第３拡散板２４ｂと、光透過型の第４拡散板２５ｂとで構成される。第３拡散板２４ｂは、右側壁の底部側に上部の方向に傾斜して配置される。第４拡散板２５ｂは、右側壁の上部側に底部の方向に傾斜して配置される。
【００６３】
読取装置２０は、光拡散型の反射板２３ｂをさらに備える。反射板２３ｂは、筐体２１の右側壁に取り付けられる。
【００６４】
このことにより、反射板２３ｂは、第２拡散部からの光を拡散反射するので、読取装置２０は、光を効率よく用いることができる。
【００６５】
第１照射部２７ｂは、第１拡散板２４ａと、筐体２１の底部との間に配置される。
【００６６】
このことにより、第１照射部２７ｂからの赤外光は、第１拡散部を介して拡散されて、読取窓部材２２を照射するので、読取装置２０は、第１照射部２７ｂによる照明ムラが少ない画像を取得することができる。
【００６７】
読取装置２０は、可視光を照射する第２照射部２８ｂをさらに備える。第２照射部２８ｂは、第１拡散板２４ａと、筐体２１の底部との間に配置される。
【００６８】
このことにより、第２照射部２８ｂからの可視光は、第２拡散部を介して拡散されて、読取窓部材２２を照射するので、読取装置２０は、第２照射部２８ｂによる照明ムラが少ない画像を取得することができる。
【００６９】
第１拡散板２４ａは、撮像装置２６の視角に入らない大きさで、第２拡散板２５ａは、撮像装置２６の視角に入らないように傾斜して配置される。
【００７０】
（実施の形態２）
本実施の形態では、実施の形態１と異なる構成を有する読取装置の構成をいくつか説明する。図６Ａ、図６Ｂ、図７Ａ、図７Ｂ、および図８は、読取装置の別の実施の形態を示す断面図である。
【００７１】
図６Ａの読取装置２０Ａは、可視光を照射する第２照射部２８ａ，２８ｂの配置が図３の実施の形態１と異なる。実施の形態１の読取装置２０において、図３に示すように、第２照射部２８ａは、光拡散型の反射板２３ａの下方において、筐体２１内部の左側壁に配置されていた。これに対して、図６Ａの読取装置２０Ａの第２照射部２８ａは、第２照射部２８ａの光軸が筐体２１内部の左側壁と直交するように撮像装置２６の左側面に配置される。同様に、読取装置２０Ａの第２照射部２８ｂは、第２照射部２８ａと左右対称に、第２照射部２８ｂの光軸が筐体２１内部の右側壁と直交するように撮像装置２６の右側面に配置される。
【００７２】
図６Ｂの読取装置２０Ｂは、光透過型の第１拡散板２４ａの配置が図３の実施の形態１と異なる。実施の形態１の読取装置２０において、図３に示すように、第１拡散板２４ａは、筐体２１内部の左側壁に上向きに傾斜して配置されていた。これに対して、図６Ｂの第１拡散板２４ａは、筐体２１内部の左側壁に対して直交して配置される。また、第３拡散板２４ｂは、第１拡散板２４ａと左右対称に、筐体２１内部の右側壁に対して直交して配置される。
【００７３】
図７Ａの読取装置２０Ｃは、実施の形態１（図３）の構成において、第１照射部２７ａおよび第２照射部２８ａに代えて、第４照射部３０ａを備える。さらに、読取装置２０Ｃは、図３の構成において、第１照射部２７ｂおよび第２照射部２８ｂに代えて、第４照射部３０ｂを備える。
【００７４】
第４照射部３０ａ，３０ｂはそれぞれ、基板と、基板上に実装された複数の赤外光源および可視光源とを含む。第４照射部３０ａは、可視光源として４個の白色光ＬＥＤ３０ａ１と、赤外光源として６個の赤外光ＬＥＤ３０ａ２を備える。第４照射部３０ｂは、可視光源として４個の白色光ＬＥＤ３０ｂ１と、赤外光源として６個の赤外光ＬＥＤ３０ｂ２を備える。
【００７５】
第４照射部３０ａにおいて、６個の赤外光ＬＥＤ３０ａ２は、基板上に一列に配置される。４個の白色光ＬＥＤ３０ａ１は、赤外光ＬＥＤ３０ａ２の列に隣接して、基板上に一列に配置される。第４照射部３０ｂは、第４照射部３０ａと同様の構成を有する。
【００７６】
読取装置２０Ｃにおいて、第４照射部３０ａは、その光軸が第１拡散板２４ａの主面と直交するように、筐体２１の底面に傾けて配置される。同様に、第４照射部３０ｂも、その光軸が第３拡散板２４ｂの主面と直交するように、筐体２１の底面に傾けて配置される。
【００７７】
図７Ｂにおいて、第１拡散板２４ａは、筐体２１内部の左側壁に対して直交して配置される。さらに、第３拡散板２４ｂは、筐体２１内部の右側壁に対して直交して配置される。
【００７８】
また、第１照射部２７ａは、第１拡散板２４ａの下方において、筐体２１の底部に配置され、その光軸が第１拡散板２４ａの主面と直交するように配置される。同様に、第１照射部２７ｂも、第３拡散板２４ｂの下方において、筐体２１の底部に配置され、その光軸が第３拡散板２４ｂの主面と直交するように配置される。
【００７９】
図８の読取装置２０Ｅは、各照射部および各拡散部の構成が実施の形態１（図３）と異なる。図３の読取装置２０は、筐体２１内部の奥側壁に紫外光を照射する第３照射部２９を備える。一方で、読取装置２０Ｅは、筐体２１内部の左右側壁および手前側壁にも第３照射部２９を備える。また、図３の読取装置２０は、筐体２１内部の左右側壁に紫外光を照射する第３照射部２９を備える。一方で、読取装置２０Ｅは、筐体２１内部の左右側壁および手前側壁にも第３照射部２９を備える。
【００８０】
図９および図１０は、図８の読取装置２０Ｅを説明するための図である。図９は、図８の読取窓部材２２および第３照射部２９を除去した読取装置２０Ｅの上面図である。読取装置２０Ｅは、実施の形態１（図３）の構成において、第２拡散板２５ａおよび第４拡散板２５ｂに代えて、図９のように４枚の透過型の拡散板２５ｃ〜２５ｆを備える。また、読取装置２０Ｅは、図９および図１０のように、筐体２１の底部に立設して、撮像装置２６の側部を包囲するように配置される４枚のリブ３３ａ〜３３ｄをさらに備える。拡散板２５ｃ〜２５ｆはそれぞれ、リブ３３ａ〜３３ｄおよび筐体２１内部の壁によって支持されて配置される。
【００８１】
さらに、読取装置２０Ｅは、図３の構成において、第１拡散板２４ａおよび第３拡散板２４ｂに代えて、透過型の拡散板２４ｃを備える。図８のように、拡散板２４ｃは、リブ３３ａ〜３３ｄと筐体２１内部の壁との間に配置される。
【００８２】
図１１は、図８および図９において、拡散板２５ｃ〜２５ｆ、および拡散板２４ｃを除去した読取装置２０Ｅの上面図である。実施の形態１（図３）の読取装置２０は、筐体２１内部の左右側壁に、光拡散型の反射板２３ａ，２３ｂを備える。一方、読取装置２０Ｅは、筐体２１内部の奥側および手前側の壁にも光拡散型の反射板２３ｃ，２３ｄを備える。
【００８３】
さらに、読取装置２０Ｅは、実施の形態１（図３）の構成において、第１照射部２７ａ，２７ｂおよび第２照射部２８ａ，２８ｂに代えて、図１１の照射部３１ａ，３１ｂ，３２ａ，３２ｂを備える。照射部３１ａ，３１ｂ，３２ａ，３２ｂはそれぞれ、基板と、基板上に実装された可視光源および赤外光源とを含む。
【００８４】
照射部３１ａ，３２ｂは、筐体２１内部の奥側壁に近接して配置される。照射部３１ａは、可視光源として１個の白色光ＬＥＤ３１ａ１と、赤外光源として１個の赤外光ＬＥＤ３１ａ２を備える。照射部３１ａの基板上において、白色光ＬＥＤ３１ａ１は、撮像装置２６に最も近い隅に配置され、赤外光ＬＥＤ３１ａ２は、撮像装置２６から最も遠い隅に配置される。
【００８５】
照射部３２ｂは、赤外光源として２個の赤外光ＬＥＤ３２ｂ１，３２ｂ３と、可視光源として１個の白色光ＬＥＤ３２ｂ２を備える。照射部３２ｂの基板上において、赤外光ＬＥＤ３２ｂ１は、筐体２１内部の奥側壁の左右方向の中央に近接して配置され、白色光ＬＥＤ３２ｂ２および赤外光ＬＥＤ３２ｂ３はそれぞれ、照射部３１ａの白色光ＬＥＤ３１ａ１および赤外光ＬＥＤ３１ａ２と左右対称であるように配置される。
【００８６】
照射部３１ｂ，３２ａは、筐体２１内部の手前側壁に近接して配置される。照射部３１ｂは、可視光源として１個の白色光ＬＥＤ３１ｂ１と、赤外光源として１個の赤外光ＬＥＤ３１ｂ２を備える。照射部３１ｂは、撮像装置２６の光軸に対して、照射部３１ａと対称であるように配置される。照射部３２ａは、赤外光源として２個の赤外光ＬＥＤ３２ａ１，３２ａ３と、可視光源として１個の白色光ＬＥＤ３２ａ２を備える。照射部３２ａは、撮像装置２６の光軸に対して、照射部３２ｂと対称であるように配置される。
【００８７】
以上の構成において、読取装置２０Ｅは、拡散板２５ｃ〜２５ｆを４方向から対照的に備えることができるため、照射部３１ａ，３１ｂ，３２ａ，３２ｂによる照明ムラが少ない画像を取得することができる。
【００８８】
（他の実施の形態）
以上のように、本出願において開示する技術の例示として、実施の形態を説明した。しかしながら、本開示における技術は、これに限定されず、適宜、変更、置き換え、付加、省略などを行った実施の形態にも適用可能である。また、上記実施の形態で説明した各構成要素を組み合わせて、新たな実施の形態とすることも可能である。
【００８９】
実施の形態１において、読取装置２０は、可視光源、赤外光源、および紫外光源として点光源を備えたが、必ずしもこれに限定されない。例えば、有機ＥＬ材料で構成される線光源や面光源を用いてもよい。
【００９０】
実施の形態１において、第１照射部２７ａ，２７ｂは、赤外光源として６個の赤外光ＬＥＤを備えたが、異なる数の赤外光ＬＥＤを備えてもよい。
【００９１】
実施の形態１において、第２照射部２８ａ，２８ｂは、可視光源として４個の白色光ＬＥＤを備えたが、異なる数の白色光ＬＥＤを備えてもよい。
【００９２】
実施の形態１において、読取装置２０は、可視光源として白色光ＬＥＤを用いたが、白色光以外のＬＥＤを用いてもよい。
【００９３】
実施の形態１において、読取装置２０は可視光源および紫外光源を備えたが、読取装置２０は可視光源および／または紫外光源を備えなくてもよい。
【００９４】
実施の形態１において、第２照射部２８ａ，２８ｂはそれぞれ、筐体２１内部の側壁に配置されたが、必ずしもこれに限定されない。第２照射部２８ａ，２８ｂは、第１拡散板２４ａおよび第３拡散板２４ｂが、当該第２照射部２８ａ，２８ｂからの可視光を、当該第２照射部２８ａ，２８ｂの半減角の角度範囲にわたって、読取窓に到達させないように、別の位置に配置されてもよい。
【００９５】
実施の形態１において、第１照射部２７ａ，２７ｂはそれぞれ、第１拡散板２４ａおよび第３拡散板２４ｂと対向して配置されたが、必ずしもこれに限定されない。第１照射部２７ａ，２７ｂは、第１拡散板２４ａおよび第３拡散板２４ｂが、当該第１照射部２７ａ，２７ｂからの赤外光を、当該第１照射部２７ａ，２７ｂの半減角の角度範囲にわたって、読取窓に到達させないように、別の位置に配置されてもよい。
【００９６】
実施の形態１において、第１照射部２７ａ，２７ｂ、第２照射部２８ａ，２８ｂ、第１拡散部（第１拡散板２４ａ、第２拡散板２５ａ）と第２拡散部（第３拡散板２４ｂ、第４拡散板２５ｂ）、反射板２３ａ，２３ｂを、撮像装置２６の光軸を中心として左右対称な一対の構成としたが、必ずしもこれに限定されない。第１照射部２７ａ、第２照射部２８ａ、第１拡散部（第１拡散板２４ａ、第２拡散板２５ａ）、反射板２３ａのように片側のみの構成とてもよい。
【００９７】
実施の形態１において、撮像装置２６の光軸を垂直方向としたが、必ずしもこれに限定されない。撮像装置２６の光軸を水平方向や、斜め上方向としてもよい。撮像装置２６は、筐体２１内部の底部において、読取窓部材２２の真下に、光軸が読取窓部材２２を向くように配置される。例えば、筐体２１が側面（第１面）に開口を有し、開口に読取窓部材２２を配置している。そして、撮像装置２６が筐体の内部の側面（第１面）と対向する側面（第２面）側に光軸が読取窓部材２２を向くように配置されていてもよい。
【００９８】
実施の形態１において、第１照射部２７ａ，２７ｂは、基板と、基板上に実装された複数の赤外光源とを含み、第２照射部２８ａ，２８ｂは、基板と、基板上に実装された複数の可視光源とを含み、第３照射部２９は、基板と、基板上に実装された複数の紫外光源とを含むとしたが、必ずしもこれに限定されない。第１照射部は、複数の赤外光源とのみで、第２照射部は、複数の可視光源のみで、第３照射部は、複数の紫外光源のみとしてもよい。この場合、各光源を制御する基板（回路）は筐体２１の内部に配置されていればよい。
【００９９】
図７Ａの読取装置２０Ｃにおいて、第４照射部３０ａは、赤外光源として６個の赤外光ＬＥＤ３０ａ２を備えたが、異なる数の赤外光ＬＥＤ３０ａ２を備えてもよい。また、第４照射部３０ｂは、赤外光源として６個の赤外光ＬＥＤ３０ｂ２を備えたが、異なる数の赤外光ＬＥＤ３０ｂ２を備えてもよい。
【０１００】
図７Ａの読取装置２０Ｃにおいて、第４照射部３０ａは、白色光源として４個の白色光ＬＥＤ３０ａ１を備えたが、異なる数の白色光ＬＥＤ３０ａ１を備えてもよい。また、第４照射部３０ｂは、赤外光源として４個の赤外光ＬＥＤ３０ｂ１を備えたが、異なる数の赤外光ＬＥＤ３０ｂ１を備えてもよい。
【０１０１】
実施の形態１において、第３照射部２９は、筐体２１の上部と第１拡散部との間に配置されたが、異なる位置に配置されてもよい。例えば、第３照射部２９は、第１拡散部と底部との間に配置されてもよい。
【０１０２】
本開示の実施の形態において、読取対象物１０の一例としてパスポートを示したが、これに限定されない。読取対象物１０は、免許証、文書、写真、又は帳票等の、撮像装置２６で読取ることが可能なものであればよい。
【０１０３】
以上のように、本開示における技術の例示として、実施の形態を説明した。そのために、添付図面および詳細な説明を提供した。
【０１０４】
従って、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１０５】
また、上述の実施の形態は、本開示における技術を例示するためのものであるから、特許請求の範囲またはその均等の範囲において種々の変更、置き換え、付加、省略等を行うことができる。
【符号の説明】
【０１０６】
２０  読取装置
２１  筐体
２２  読取窓部材
２３ａ，２３ｂ  反射板
２４ａ，２４ｂ，２５ａ，２５ｂ  拡散板
２６  撮像装置
２７ａ，２７ｂ  第１照射部
２８ａ，２８ｂ  第２照射部
２９  第３照射部
３０ａ，３０ｂ  第４照射部
【図１】
2019193955.tif 000003
【図２】
2019193955.tif 000004
【図３】
2019193955.tif 000005
【図４】
2019193955.tif 000006
【図５】
2019193955.tif 000007
【図６Ａ】
2019193955.tif 000008
【図６Ｂ】
2019193955.tif 000009
【図７Ａ】
2019193955.tif 000010
【図７Ｂ】
2019193955.tif 000011
【図８】
2019193955.tif 000012
【図９】
2019193955.tif 000013
【図１０】
2019193955.tif 000014
【図１１】
2019193955.tif 000015
【国際調査報告】
2019193955.tif 000016
2019193955.tif 000017
2019193955.tif 000018
2019193955.tif 000019